(57)【要約】【課題】Ｙシャツ等の衣服襟部を開放して着る際に、そのボタン穴に容易に装着することができ、美しいアクセントとなる衣服ボタン穴用留具を提供すること。【解決手段】衣服のボタン穴に容易に通すことができる小径略棒状であってかつ装飾的な軸部１２の両端に、通常の状態では衣服のボタン穴に係止できる程度の大径略鍔状の係止部１６を形成し、係止部１６には宝石１８を固定した装飾部２０を設ける。このことで、係止部１６はボタン穴から離脱せず、衣服ボタン穴用留具１０が使用中に外れることはない。【選択図】図１
2008183325.tif 000002
【特許請求の範囲】
【請求項１】
小径略棒状の軸部の両端に大径略鍔状の係止部を形成した留具であって、前記係止部に装飾部が設けられていることを特徴とする衣服ボタン穴用留具。
【請求項２】
前記軸部は、中央で湾曲部を備えていることを特徴とする請求項１に記載の衣服ボタン穴用留具。
【請求項３】
一端の前記係止部から他端の前記係止部まで前記軸部の内部に通ずる貫通孔を形成したことを特徴とする請求項１から２に記載の衣服ボタン穴用留具。
【請求項４】
上下方向に分離可能な樹脂型内における前記衣服ボタン穴用留具のワックス原型製造用空洞部を、該樹脂型の上下方向に該衣服ボタン穴用留具の長手方向が位置するように形成し、該空洞部内に注入されたワックスが固化した後に、それぞれの前記樹脂型の両端を湾曲し、空洞部内のワックス原型を一体的に取り出すことを特徴とする請求項１から３に記載の衣服ボタン穴用留具の製造方法。
【請求項５】
前記挿通部は、オス筒体とメス筒体からなる２の部材から形成され、前記オス筒体と前記メス筒体がスライド可能であることで、伸縮可能な全長を備えた請求項１から３に記載の衣服ボタン穴用留具。
【請求項６】
前記挿通部は、オス筒体とメス筒体からなる２の部材から形成され、前記メス筒体の内壁に形成されたメスねじと螺合するねじ山を前記オス型の外壁に形成することで、伸縮可能な全長を備えた請求項１から３に記載の衣服ボタン穴用留具。
【請求項７】
前記係止部は石座を形成し、該石座に貴石、半貴石、合成石、イミテーション石のうちいずれか選ばれる１の宝石を固定して装飾部を形成することを特徴とする請求項１から７に記載の衣服ボタン穴用留具。
【発明の詳細な説明】
【技術分野】
【０００１】
本発明は、Ｙシャツ等の衣服襟部を開放して着る際に、そのボタン穴に装着する留具に関する。
【背景技術】
【０００２】
昨今、官公庁や会社においてネクタイを締めずに仕事をするいわゆるクールビズ運動が提唱されている。これは特に夏期における気温上昇に伴い、より快適な環境で仕事をすることを主眼とするものだが、その傾向に影響されて年間いずれの時期を問うことなく、ネクタイを締めずにＹシャツ等を着用する人も多くなっている。
【０００３】
しかしながら、その場合には襟部が開放されてボタン穴が目立ってしまう、仕事上でだらしないというイメージを払拭するためにも、ファッション的に何かアクセントが欲しいのが事実である。また、そのようなアクセントがあれば、従来のネクタイのように毎日取り替える必要もなく極めて便利である。
【０００４】
ボタン穴に留めるアクセサリーとしては従来からカフスボタンが存在するが、カフスボタンはそもそもＹシャツ等の袖部のボタン穴に使用するもので、一端に装飾部が形成され、他端にはボタン穴をより確実に固定する固定金具を取り付けてあるものがほとんどであり、またそもそも目立たない部分に装着するものとして、例えば、使用中に回転したり裏返ったりしても美しい外観を保つような機能面での工夫は何らされていないのが実際である。
【特許文献１】特願２０００−２９５１５６
【０００５】
本発明は、上記の点に鑑み開発されたもので、Ｙシャツ等の衣服襟部を開放して着る際に、そのボタン穴に容易に装着できる美しい留具に関する。
【発明の開示】
【発明が解決しようとする課題】
【０００６】
本発明の衣服ボタン穴用留具は、小径略棒状の軸部の両端に大径略鍔状の係止部を形成した留具であって、前記係止部に装飾部が設けられている衣服ボタン穴用留具であることを特徴とする。また、前記軸部は、中央で湾曲部を備えている衣服ボタン穴用留具であることを特徴とする。
【０００７】
本発明の衣服ボタン穴用留具においては、一端の前記係止部から他端の前記係止部まで前記軸部の内部に通ずる貫通孔を形成することが好ましい。
【０００８】
また、本発明の衣服ボタン穴用留具の製造方法においては、上下方向に分離可能な樹脂型内における前記衣服ボタン穴用留具のワックス原型製造用空洞部を、該樹脂型の上下方向に該衣服ボタン穴用留具の長手方向が位置するように形成し、該空洞部内に注入されたワックスが固化した後に、それぞれの前記樹脂型の両端を湾曲し、空洞部内のワックス原型を一体的に取り出すことができることが好ましい。
【０００９】
また、本発明の衣服ボタン穴用留具は、前記挿通部は、オス筒体とメス筒体からなる２の部材から形成され、前記オス筒体と前記メス筒体がスライド可能であることで、伸縮可能な全長を備えた衣服ボタン穴用留具とすることができる。さらに、前記挿通部は、オス筒体とメス筒体からなる２の部材から形成され、前記メス筒体の内壁に形成されたメスねじと螺合するねじ山を前記オス型の外壁に形成することで、伸縮可能な全長を備えた衣服ボタン穴用留具であることができる。
【００１０】
本発明の衣服ボタン穴用留具においては、前記係止部は石座を形成し、該石座に貴石、半貴石、合成石、イミテーション石のうちいずれか選ばれる１の宝石を固定して装飾部を形成することが好ましい。
【００１１】
以下、図面を参照しつつ、本発明に係る衣服ボタン穴用留具の好ましい実施形態を説明する。図１において、（ａ）は第１衣服ボタン穴用留具の正面図、（ｂ）はその横断面図、図２は、その使用状態を示す斜視図である。
【００１２】
第１衣服ボタン穴用留具１０は、例えば、金、プラチナ、ホワイトゴールド、シルバー、チタン、真鍮等の金属を主素材として一体的に形成されるもので、外形形状では略棒状となり、Ｙシャツ等の衣服のボタン穴に容易に通すことができる小径な軸部１３を中央に有している。また、その外壁には線つなぎ模様１２（湾曲した細線の集合により形成される模様）が、またその内部には貫通孔１４が形成され、中空部分による衣服ボタン穴用留具の軽量化、コスト低減が図られている。
【００１３】
また、軸部１３の両端には、外形形状では鍔状となり、Ｙシャツ等の衣服のボタン穴に斜方向から楽に挿入することができ、通常の状態（垂直方向）ではボタン穴に係止できる程度の大径である係止部１６が形成されている。係止部１６には、例えば、ダイアモンドやアクアマリンの宝石１８が、一般的な石留技法、ここでは覆輪留めにより固定され、装飾部２０が形成されている。
【００１４】
このような第１衣服ボタン穴用留具１０は、Ｙシャツ等の衣服襟部２２を開放して着用する際に、その首部等のボタン穴２４に斜め方向から係止部１６を挿入し、軸部１２の中間で係止する。この場合において、大径の係止部１６はボタン穴２４から離脱せず、第１衣服ボタン穴用留具１０が使用中に外れることはない。また、第１衣服ボタン穴用留具１０は両端の係止部１６に装飾部２０を有しているので、通常では外側の宝石１８がその輝きを放ち、仮に、衣服襟部２２が大きく開いた場合にも内側の宝石１８が輝きを放つので、ファッション的効果を十分に発揮することができる。すなわち、新しいスタイルのおしゃれを楽しみながら、ネクタイを締めなくてもだらしない印象を与えることがない。さらに、軸部１２にはその表面全体に線つなぎ模様１３が施されていることより、装着中に回転した場合でも美感を保つことができる。
【００１５】
このような第１衣服ボタン穴用留具１０についての寸法比率は、例えば、係止部１６の直径を８ｍｍ前後とした場合に、軸部１２の直径は５ｍｍ前後、全長は１５ｍｍ前後、軸部１２の長さは４ｍｍ前後であることが好ましいため、およ８：３：１５：４となるが、もちろんその寸法に限られるわけではない。
【００１６】
図３は、第２衣服ボタン穴用留具３０を示す図である。第２衣服ボタン穴用留具３０は、中央に略棒状で小径の軸部３２と両端に鍔状で大径の係止部３６を有し、係止部３６では、爪部３８を使用して宝石１８を固定することで装飾部３９が形成されている。第２衣服ボタン穴用留具３０は、第１衣服ボタン穴用留具１０と略同様の構造であるが、軸部３２が中央で大きく湾曲している点で異なる。
【００１７】
なお、第２衣服ボタン穴用留具３０の寸法比率については、湾曲部分を捨象した直前距離で略測すれば、前記した第１衣服ボタン穴用留具１０についての寸法比率と略同様と考えられる。
【００１８】
このような第２衣服ボタン穴用留具３０は、使用中に内側となった係止部３６が全体的に人肌と接せず斜め方向に軽く触れる程度であるから、邪魔にならない快適な装着感を保つことができ、かつ湾曲する軸部３２の存在により極めて外れ難いという特長を有する。
【００１９】
図４は、第４衣服ボタン穴用留具６０を示す図である。第４衣服ボタン穴用留具６０は、中央に略鎖状で小径の挿通部６２と両端に鍔状で大径の係止部６６を有し、係止部６６には、例えば、色彩豊かな七宝６８を使用することで装飾部７０を形成したものである。このことからも明らかなように、本発明に係る衣服ボタン穴用留具の装飾部には、彫り模様や絵描き模様等による種々の装飾性を加えることができる。
【００２０】
すなわち本発明に係る衣服ボタン穴用留具は、宝石１８のみならず、どのような装飾体でも固定することができ、また、必要があれば鍔部全体に装飾性を加えることも可能で、様々なファッション的効果を発揮することができる。
【００２１】
次に、図面を参照しつつ、本発明に係る衣服ボタン穴用留具の好ましい製造方法を説明する。図５は、第１衣服ボタン穴用留具の樹脂型を示す図、図６は、一方のワックスを樹脂型から取り出す状態を示す図、図７は、他方のワックスを樹脂型から取り出す状態を示す図である。
【００２２】
一般に金、プラチナ、ホワイトゴールド、シルバー、チタン、真鍮等の金属製の装身具製造に使用される樹脂型は、いわゆるゴム型と呼ばれるもので、略直方体の枠内に、シルバー等の硬質な素材で製造され、湯口部を取り付けた装身具の原型を載置し、流動状のゴムを流し込んで固化するか、半流動状のシートゴムを重ねて加熱、押圧して固化する。
【００２３】
すると、樹脂型内にその装身具形状による空洞が内部に形成され、かかる空洞部内に湯口より高熱下において溶解した流動状のワックスを空気圧で注入し、空冷し固化した後取り出してワックス型とし、これをロストワックスキャスティングにより鋳造して金属素材による装身具を製造するものである。
【００２４】
ここで、第１衣服ボタン穴用留具１０の製造のために使用される樹脂型８０は、一般に偏平な直方体形状であるが、第１衣服ボタン穴用留具１０の長手方向の寸法比率が従来のカフスボタンに比し極端に短いことより、樹脂型８０における上下方向に第１衣服ボタン穴用留具１０を長手方向に位置させることができる、すなわち両端の係止部１６の空洞部をそれぞれ樹脂型８０の上側と下側に分離させることができる。
【００２５】
このことにより、樹脂型８０を第１衣服ボタン穴用留具１０のシルバー等の原型における軸部１３のいずれかの位置で上下方向に２分割すれば、下側の樹脂型８３の両端を手指等により下方向に湾曲して、大径の鍔部１６を分離してワックス型８１の下側を取り出すことができ、また、上側の樹脂型８２の両端を上方向に湾曲して、大径の鍔部１６を分離してワックス型８１の上側を取り出すことができる。
【００２６】
従来からあるカフスボタンの製造では、一般には装飾部、留め金具、その両者をつなぐ支持部という３パーツに分かれるため、それぞれのパーツをロストワックスキャスティング、プレス切断加工等の異なった製法により製造し、さらにロー付けして全体を組み立てるという複数の工程が必要であったが、第１衣服ボタン穴用留具１０においてはこのように１回の工程で樹脂型８０からワックス型８１を取り出すことができ、結果として１回の鋳造により第１衣服ボタン穴用留具１０は製造できるので、コストと労力の削減を大きく図ることができる。
【００２７】
すなわち、第１衣服ボタン穴用留具１０の製造においては、係止部１６の貫通孔１４がほぼ同一径でありかつ長手方向の寸法が短いこと、そして弾性に富む樹脂型８０を湾曲することにより、ある程度弾力があるワックス型８１を一体的に取り出すことができるという大きなメリットを生じ、鋳造後の溶接の工程も不要となる。
【００２８】
ワックス型８２から金属に鋳造された第１衣服ボタン穴用留具部材１０は、係止部１６の断面形状が略カップ状である場合には、ダイアモンド、アクアマリン等の宝石１８をそのカップ部に挿入し、その上方壁部を折り曲げて固定する（いわゆる覆輪止め）ことにより、装飾部２０を形成することができる。
【００２９】
なお、この製造方法は、第１衣服ボタン穴用留具１０のみならず、第２衣服ボタン穴用留具３０及び第３衣服ボタン穴用留具４０の製造においても同様に採用することができる。
【００３０】
もちろん、いずれの衣服ボタン穴用留具においても、従来の製法通り、係止部、軸部等の部品を別々にロストワックスキャスティングやプレス切断加工により製造し、各部品をロー付けして全体を組み立てることは可能である。
【００３１】
図８は、第４衣服ボタン穴用留具の正面図、図９（ａ）は、その伸長した状態を示す横断面図、図９（ｂ）は、その短縮した状態を示す横断面図、図１０は、カフスボタンとしての兼用状態を示す図である。
【００３２】
第４衣服ボタン穴用留具１００は、例えば、金、プラチナ、ホワイトゴールド、シルバー、チタン、真鍮等の金属を主素材とするオス筒体１０１とメス筒体１０２という２の部材により構成されるもので、外形形状では略棒状となり、Ｙシャツ等の衣服のボタン穴に容易に通すことができる小径である軸部１０３、１０４を中央に有し、その内部には貫通孔１０５が形成されることで軽量化によるコスト削減が図られ、オス筒体１０１の軸部１０３の外径寸法がメス筒体１０２の軸部１０４の内径寸法にやや小さくほぼ合致することで、オス筒体１０１とメス筒体１０２に挿通した場合には、両者は嵌合しかつスライド可能となる。
【００３３】
また、いずれの部材も軸部１０３、１０４の逆側には、外形形状では鍔状となり、Ｙシャツ等の衣服のボタン穴に斜方向から楽に挿入することができ、通常の状態（垂直方向）ではボタン穴に係止できる程度の大径である係止部１０６が設けられ、さらにその係止部１０６には宝石１０８が固定されて装飾部１０９を形成している。
【００３４】
そして、オス筒体１０１の軸部１０３の壁部には、約９０度カギ形状の切込部１０９と、メス筒体１０２の軸部１０４の壁部には、ピン穴１１１が形成されている。
【００３５】
第４衣服ボタン穴用留具１００の組み立ては、メス筒体１０２の軸部１０４にオス筒体１０１の軸部１０３の先端を差込んで、オス筒体１０１の切込部１０９とメス筒体１０２のピン穴１１０を合致させ、頭部が形成されたピン１１１を先端部からメス筒体１０２のピン穴１１０の一方からオス筒体１０１の切込部１０９を通過してさらに反対側のオス筒体の切込部（図示せず）を通して反対側のメス筒体１０２のピン穴１１０に突出する。そして、突出したピン１１の先端を余分な部分を切り取り、メス筒体１０２の外壁にレーザー等でロー付けするか頭部を形成して、その後両側にはみ出した頭部を研磨して目立たなくする。なお、宝石１０８の係止部１０６への固定は、今までの衣服ボタン穴用留具と略同様である。
【００３６】
このような第４衣服ボタン穴用留具１００の使用方法は、メス筒１０２の軸部１０４にオス筒１０１の軸部１０３を深く差込んでオス筒体１０１とオス筒体１０２を９０度回転すれば、いわゆるロックされた状態として全長が短くなり、Ｙシャツ等の衣服ボタン穴を開放して着用する、前記した衣服ボタン穴用留具と同様に使用することができる。
【００３７】
また、第４衣服ボタン穴用留具１００は、メス筒体１０２とオス筒体１０１を逆方向に９０度回転すれば、ロック状態が開放されて全長を長くすることができ、カフスボタンとして兼用することも可能となる。
【００３８】
図１１は、第５衣服ボタン穴用留具の正面図、図１２（ａ）は、その伸長した状態を示す横断面図、図１２（ｂ）は、その短縮した状態を示す横断面図である。
【００３９】
第５衣服ボタン穴用留具１２０は、例えば、金、プラチナ、ホワイトゴールド、シルバー、チタン、真鍮等の金属を主素材とするオス筒体１２１とメス筒体１２２という２の部材により構成されるもので、外形形状では略棒状となり、Ｙシャツ等の衣服のボタン穴に容易に通すことができる小径である軸部１２３、１２４を中央に有し、メス筒体１２２の内壁にはメスねじ１３１が形成され、オス筒体１２１の外壁の先端に設けられたねじ山１３２の外径と螺合させることで、オス筒体１２１とメス筒体１２２を組み合わせると全長が伸縮可能となる。
【００４０】
また、いずれの部材も軸部１２３、１２４の逆側には、外形形状では鍔状となり、Ｙシャツ等の衣服のボタン穴に斜方向から楽に挿入することができ、通常の状態（垂直方向）ではボタン穴に係止できる程度の大径である係止部１２６が設けられ、係止部１２６に宝石１２８が固定されて装飾部１２９を形成している。
【００４１】
第５衣服ボタン穴用留具１２０の組み立ては、係止部１２６を取り付ける前の状態のオス筒体１２１の軸部１２３を、宝石１２８を取り付ける前のメス筒体１２２の軸部１２４のメスねじ１３１に、ねじ山１３２の逆側より差込んで回転させ、メスねじ１３１とねじ山１３２を螺合する。そして、メス筒体１２２の反対側軸部より突出したオス筒体１２１の先端に断面が略カップ状の係止部１２６をレーザー等でロー付けする。そして、宝石１２８をオス筒体１２１とメス筒体１２２の係止部１２６へ固定する。
【００４２】
このような第５衣服ボタン穴用留具１２０は、メス筒体１２２に対しオス筒体１２１を回転させることにより、自由に全長を伸縮できるので、時と場合に応じて衣服ボタン穴用留具として使用したり、カフスボタンとして兼用することが可能となるばかりか、使用する者の必要に応じ全長調節も可能となる。
【００４３】
以上の如く、本発明のいくつかの実施形態を説明したが、それらを以って本発明を前記実施形態のみに限定するものではなく、その精神を逸脱しない限り種々の改変を加えて、多種多様の変更ができることはいうまでもない。衣服ボタン穴用留具のデザインは、前記した略円筒形状に決して限るものではなく、多角柱形状、例えば、図１３（ａ）に示すような略三角柱形状、図１３（ｂ）に示すような略八角柱形状であっても良い。また、衣服ボタン穴用留具の素材には、前記した金属に決して限るものではなく、樹脂やセラミック等を使用することもできる。
【００４４】
くわえて、衣服ボタン穴用留具の係止部には、装飾部を形成できるものであれば宝石を固定してもしなくても良く、その宝石の固定方法にも爪留め、接着等のどのような方法でも限定はない。
【図面の簡単な説明】
【００４５】
【図１】（ａ）は、第１衣服ボタン穴用留具の正面図、（ｂ）は、第１衣服ボタン穴用留具の横断面図である。
【図２】第１衣服ボタン穴用留具の使用状態を示す図である。
【図３】第２衣服ボタン穴用留具を示す図である。
【図４】（ａ）は、第３衣服ボタン穴用留具の正面図、（ｂ）は、その使用状態を示す図である。
【図４】第４衣服ボタン穴用留具を示す図である。
【図５】第１衣服ボタン穴用留具の樹脂型を示す図である。
【図６】一方のワックスを樹脂型から取り出す状態を示す図である。
【図７】他方のワックスを樹脂型から取り出す状態を示す図である。
【図８】第４衣服ボタン穴用留具の正面図である。
【図９】（ａ）は、第４衣服ボタン穴用留具の伸長した状態を示す横断面図、（ｂ）は、第４衣服ボタン穴用留具の短縮した状態を示す横断面図である。
【図１０】第４衣服ボタン穴用留具のカフスボタンとしての兼用状態を示す図である。
【図１１】第５衣服ボタン穴用留具の正面図である。
【図１２】（ａ）は、その伸長した状態を示す横断面図、（ｂ）は、その短縮した状態を示す横断面図である。
【図１３】本発明の衣服ボタン穴用留具の他のデザインを示す図である。
【符号の説明】
【００４６】
１０  第１衣服ボタン穴用留具
１１  ピン
１２  線つなぎ模様
１３  軸部
１４  貫通孔
１６  係止部
１６  大径の鍔部
１８  宝石
２０装飾部
２２  衣服襟部
２４  首部ボタン穴
３０  第２衣服ボタン穴用留具
３２  軸部
３６  係止部
３８  爪部
３９  装飾部
４０  第３衣服ボタン穴用留具
６０  第４衣服ボタン穴用留具
６２  挿通部
６６  係止部
６８  色彩豊かな七宝
７０  装飾部
８０  樹脂型
８１  ワックス
８２  上側の樹脂型
８２  ワックス型
８３  下側の樹脂型
１００  第４衣服ボタン穴用留具
１０１  オス筒体
１０２  メス筒体
１０３  軸部
１０４  軸部
１０５  貫通孔
１０６  係止部
１０８  宝石
１０９  装飾部
１０９  切込部
１１０  ピン穴
１１１  ピン穴
１１１  ピン
１２０  第５衣服ボタン穴用留具
１２１  オス筒体
１２２  メス筒体
１２３  軸部
１２４  軸部
１２６  係止部
１２８  宝石
１２９  装飾部
１３１  メスねじ
１３２  ねじ山
【図１】
2008183325.tif 000003
【図２】
2008183325.tif 000004
【図３】
2008183325.tif 000005
【図４】
2008183325.tif 000006
【図５】
2008183325.tif 000007
【図６】
2008183325.tif 000008
【図７】
2008183325.tif 000009
【図８】
2008183325.tif 000010
【図９】
2008183325.tif 000011
【図１０】
2008183325.tif 000012
【図１１】
2008183325.tif 000013
【図１２】
2008183325.tif 000014
【図１３】
2008183325.tif 000015